(57)【要約】【課題】  微量の血液等を容易に正確に採取できるとともに、気泡が混入せず、比較的安価な使い捨てピペット及び採血器を提供する。【解決手段】  スポイト筒と可撓性のキャップが連通している使い捨てピペットにおいて、液体を一時吸液可能であり、かつ、圧縮することあるいは気体を吹き付けることによって吸液している液体を放出されることが可能である一時吸液体をスポイト筒内に取りつけ、一時吸液体とキャップとの間に空気通過性フィルターを取り付け、スポイト筒の先端と一時吸液体との間に開放機構付き逆支弁を取り付け、スポイト筒の先端から一時吸液体へ向かっての液体の移動のみを通常可能としている使い捨てピペットである。【選択図】  図１
2005017281.tif 000002
【特許請求の範囲】
【請求項１】
スポイト筒と可撓性のキャップが連通している使い捨てピペットにおいて、液体を一時吸液可能であり、かつ、圧縮することあるいは気体を吹き付けることによって吸液している液体を放出されることが可能である一時吸液体をスポイト筒内に取り付け、一時吸液体とキャップとの間に空気通過性フィルターを取り付け、スポイト筒の先端と一時吸液体との間に開放機構付き逆支弁を取り付け、スポイト筒の先端から一時吸液体へ向かっての液体の移動のみを通常可能としている使い捨てピペット。
【請求項２】
スポイト筒の先端が貫通内管を有する吸引口部品からなり、キャップの方へ向かって移動可能であり、吸引口部品のキャップ側が細径のノズルとなっていて、吸引口部品を押し込みキャップの方へ移動させると、ノズルが開放機構付き逆支弁の中へ挿入され逆支弁が開放状態になる請求項１に記載の使い捨てピペット。
【請求項３】
一時吸液体をキャップの方から圧縮し、または空気を吹き付ける一時吸液体圧縮ピンを備えている請求項１または２に記載の使い捨てピペット。
【請求項４】
血液凝固防止液を含有する多孔質フィルターであって、所定量の血液を一時吸液する多孔質フィルターを先端に配置し、多孔質フィルターの後面を押して多孔質フィルターを分離する押圧体を設けた使い捨て微量採血器。
【請求項５】
押圧体の移動を防止し、あるいは解除することが可能なロック手段を有する請求項４に記載の使い捨て微量採血器。
【発明の詳細な説明】
【技術分野】
【０００１】
本発明は使い捨てピペット及び微量採血器に関する。特に、血液、体液、尿（以下、「血液等」という。）の検査において用いる使い捨てピペット及び微量採血器に関し、一定量の血液等を採取するのに用いる使い捨てピペット及び微量採血器に関する。
【背景技術】
【０００２】
図２は従来の使い捨てピペットの概略図である。従来の使い捨てピペット１１は、スポイト筒１１ａと蛇腹構造のキャップ１１ｂとが連結してなり、スポイト筒１１ａの中には血液等の通過を阻止するフィルターはまったく取り付けられていない。スポイト筒１１ａ及びキャップ１１ｂは、いずれも透明または半透明で可撓性を有する材料でできている。そして、スポイト筒１１ａには目印１１ｃ、１１ｄが付けてある。目印１１ｃは採取すべき血液等の量の下限を示し、目印１１ｄは採取すべき血液等の量の上限を示している。そして、スポイト筒１１ａの先端は開放されているが、他の部分と同一の外径、内径であり、幅が狭い。
【発明の開示】
【発明が解決しようとする課題】
【０００３】
しかしながら、目印１１ｃと目印１１ｄとの間に血液等を合せることは困難であり、何度も血液等の採取と排出を繰り返さないと、所定量の血液等を採取することはできない。
【０００４】
また、ピペット中の血液等に気泡が混入しやすい。片手でスポイト筒５を指ではさみつつ、スポイト筒の先端を血液等の中へ入れ、毛細管現象によってスポイト筒の中へ血液等を採取するものである。しかし、親指でキャップを押したり放したりして誤って操作してしまうことが多く、空気を吸い込んでしまう。混入した気泡を従来のピペットでは取り除くことは困難である。その結果として、何度も血液等の採取と排出を繰り返さなければならない。また、気泡が混入した血液等では採取量が不足したり、正確な検査ができない。
【０００５】
そこで、本発明の目的は、所定量の血液等を容易に正確に採取できるとともに、気泡が混入せず、比較的安価な使い捨てピペット及び微量採血器を提供することである。
【課題を解決するための手段】
【０００６】
上記目的は、請求項１に記載の本発明に係る使い捨てピペット、すなわち、スポイト筒と可撓性のキャップとが連通している使い捨てピペットにおいて、液体を一時吸液可能であり、かつ、圧縮することあるいは気体を吹き付けることによって吸液している液体を放出されることが可能である一時吸液体をスポイト筒内に取り付け、一時吸液体をキャップとの間に空気通過性フィルターを取り付け、スポイト筒の先端と一時吸液体との間に開放機構付き逆支弁を取り付け、スポイト筒の先端から一時吸液体へ向かっての液体の移動のみを通常可能としている使い捨てピペットによって、達成される。
【０００７】
本発明に係る使い捨てピペットの好ましい実施態様においては、請求項２に記載のように、スポイト筒の先端が貫通内管を有する吸引口部品からなり、キャップの方へ向かって移動可能であり、吸引口部品のキャップ側が細径のノズルとなっていて、吸引口部品を押し込みキャップの方へ移動させると、ノズルが開放機構付き逆支弁の中へ挿入され逆支弁が開放状態になる。
【０００８】
また、本発明に係る使い捨てピペットの他の好ましい実施態様においては、請求項３に記載のように、一時吸液体をキャップの方から圧縮し、または空気を吹き付ける一時吸液体圧縮ピンを備えている。
【０００９】
また、上記目的は、請求項４に記載の本発明に係る使い捨て微量採血器、すなわち、血液凝固防止液を含有する多孔質フィルターであって、所定量の血液を一時吸液する多孔質フィルターを先端に配置し、多孔質フィルターの後面を押して多孔質フィルターを分離する押圧体を設けた使い捨て微量採血器、によっても達成される。
【００１０】
本発明に係る使い捨て微量採血器の好ましい実施態様においては、請求項５に記載のように、押圧体の移動を防止し、あるいは解除することが可能なロック手段を有する。
【発明の効果】
【００１１】
本発明に係る使い捨てピペット及び微量採血器は、一時吸液体または吸液体をスポイト筒内または本体先端部に取り付けているので、所定量（例えば１μｌ、１０μｌ）の血液等を正確かつ容易に採取し、また、検査容器等へ所定量の血液等を正確かつ容易に移し取ることができるという効果が得られる。
【００１２】
また、本発明に係る使い捨てピペットは、開放機構付き逆支弁をスポイト筒内に取り付けているので、血液等の採取時には吸引口から一時吸液体へ向かってだけ血液等が流れ、逆流はしないが、検査容器等へ移し取る時には、開放機構付き逆支弁を開放して、一時吸液体に吸液されている血液等を吸引口へ向けて移動させることができる。そのため、血液等の採取及び検査容器等への移し取りの手順が何人でも間違いなく、容易に行うことができるという効果が得られる。
【発明を実施するための最良の形態】
【００１３】
以下、本発明の実施形態について、添付図面を参照して、詳細に説明する。
【００１４】
第１実施形態
図１は本発明に係る第１実施形態の使い捨てピペットの正面断面図である。
【００１５】
吸引口部品１は、先端１ａの外径がわずかに細く、中央部１ｃはほぼ外径が一定であり、わずかな円周突起が１つあり、他端には外径が一定で細いノズル部１ｂが一体に形成されてある。吸引口部品１の内部には内径が一定で直線状の内管１ｄが形成されている。吸引口部品１は、わずかに弾性を有する材料、例えば硬質プラスチックや硬質ゴムなどで作られるのが好ましい。また、内管１ｄの面にはシリコーンとテフロン（登録商標）がコーティングされており、その後に、ヘパリンなど抗凝血剤が塗布されているのが良い。吸引口部品１は透明であっても、半透明であっても不透明であっても良い。
【００１６】
第１ホルダー２は透明または半透明の硬質プラスチックで一体に作られており、わずかに弾性を有する。外径が細い部分と外径が太い部分とが中心軸を共通にして軸方向に連結している。外径が細い部分の端は、吸引口部品用取付け・案内部２ａであり、内面には第１位置用凹部２ｂと第２位置用凹部２ｃが形成されている。第１ホルダー２の外径が太い部分には逆支弁取付け部２ｄもあり、その内部に逆支弁３が逆支弁ホルダー４によって取り付けてある。外径が太い部分の端は第２ホルダーと接合するための接合部分２ｆであり、内面にわずかにへこんでいる円周凹部２ｇが一本形成されている。外径が太い部分の内部には一時吸液体取付け部２ｅがあり、その外側にはつまみ部２ｉがある。一時吸液体取り付け部２ｅの中にはヘパリンなど抗凝血剤を浸透させた円柱状の一時吸液体５が取り付けてある。一時吸液体としては、紙巻きタバコのフィルターやマーカーペンのペン先としても用いられる吸水フィルターなどを用いることができる。一時吸液体５の形状・寸法を管理することによって５０μｌあるいは６０μｌの血液等をばらつきが少なく、簡単に、再現性良く、採取、保存することができる。第１ホルダー２の内部は、吸引口部品用取付け・案内部２ａの案内用内面と、逆支弁取付け部２ｄの内面と、接続細管部２ｊと、一時吸液体取付け部２ｅの内面と、が連通しているが、それぞれの内径は異なっている。また、逆支弁取付け部２ｄと接続細管部２ｊとの境には当接面２ｈが形成されている。
【００１７】
第２ホルダー６はわずかに弾性を有するプラスチックで一体に作られている。第１ホルダー用接合部の外面には係合突起６ａがほぼ円周にわたって形成されている。他端は比較的径の小さなキャップ用接合部６ｂであり、その内部は円柱状のガイド面６ｃである。
【００１８】
キャップ８は可撓弾性のゴム等で作られている。円筒状取付け部８ａと押圧部８ｂと底部８ｃとからなる。底部８ｃにはフィルター圧縮ピン９を挿通し、通常状態において、わずかな隙間が周囲に生じる貫通孔が形成されている。
【００１９】
フィルター圧縮ピン９はほぼ中空円筒形状であり、一端９ｆはプッシュ部品１０が差し込まれ閉塞され、他端９ａは空気通過性フィルター７が取り付けられている。また、側面と連通する連通孔９ｂ、９ｄ、９ｅがそれぞれ他端９ａの近く及び中央２ヶ所に形成されている。なお、連通孔９ｂは中心軸方向の位置は等しく、中心軸のまわりに９０°ずつ４つの連通孔を設けている。
【００２０】
逆支弁３は２枚の平板が互いに長辺を接して先端をなす「からす口」状であり、シリコーンゴム、合成ゴム、天然ゴムなどのゴム質軟質材でできている。吸引口部品１から一時吸液体５へ向かう液体は流すが、逆方向の流れは阻止される。また逆支弁は平状円形の中央に十字形、「Ｙ」字形、「一」字形の形状の切れ目の入った弁でも良い。
【００２１】
基本状態における、使い捨てピペットの使い方について説明する。
【００２２】
血液等に吸引口部品１の先端を浸漬または接触させた状態に保つ。そして、片手の親指と人差し指でつまみ部２ｉをはさむとともに、他方の手の親指と人差し指とでキャップ８をはさみ、押圧する。するとキャップ８の内部の空気のうち一部がキャップ８の底部８ｃに形成されている隙間を通って外へ排出され、キャップ８がへこむ。次に、他方の手の指を放すと、キャップ８はもとの形状に戻ろうとし、キャップ８の内部の気圧が低くなり、吸引口部品１の先端から内管１ｄを通って血液等が吸引される。内管１ｄの面にはシリコーンとテフロン（登録商標）がコーティングされ、さらに抗凝血剤が塗布されているので、吸引された血液等は凝結しにくいとともに、内管１ｄの面との表面張力を低減させて、速やかに血液等が内管１ｄに沿って流れる。続いて、内管１ｄを通過した血液等は逆支弁３を通り、接続細管部２ｊを通過して、一時吸液体５へ至る。接続細管部２ｊの面にもシリコーンとテフロン（登録商標）がコーティングされ、さらに、ヘパリンなど抗凝血剤が塗布されているのが望ましい。一時吸液体５に血液等が接触すると、血液等が一時吸液体５に吸液され、一時吸液体５の色が変化する。所定量の血液等が吸液されて、一時吸液体５の全体が変色（人間の血液であれば赤色）し、これ以上血液等を吸液できなくなる。その時の一時吸液体５に吸液されている血液等の量は、一時吸液体５の形状・寸法によってほぼ一定となる。したがって、５０μｌの血液の採取や６０μｌの尿の採取などを何人が行っても、再現性良く、ほぼ一定とすることができる。また、一時吸液体５にはヘパリンなど抗凝血剤が浸み込ませてあるので、吸液した血液等は凝結することはない。
【００２３】
なお一時吸液体５の近くの空気や血液等はフィルター圧縮ピン９の他端９ａの開孔及び他端９ａ近くの連通孔９ｂから内管を通り、フィルター圧縮ピン９の中央近くの連通孔９ｄ、９ｅを経て、キャップ８の内部へと吸引される。そして、フィルター圧縮ピン９の他端９ａには空気通過性フィルター７が取り付けられているので、空気は吸引、通過されるが、血液等は空気通過性フィルター７を通過することができない。その結果、キャップ８の中やフィルター圧縮ピン９の中には血液等が侵入することはない。
【００２４】
続いて、血液等の採取後の第１手順について説明する。
【００２５】
図３は第１手順を行った後の実施形態の使い捨てピペットの正面断面図である。吸引口部品１を押し込むと、図３に示すように、吸引口部品１の円周突起が第１ホルダー２の第２位置用凹部２ｃに係合するとともに、ノズル部１ｂが逆支弁３の中に挿入されて、逆支弁３を押し広げて開き、さらにノズル部１ｂの尖端が当接面２ｈに当接し密接する。すると、一時吸液体５から吸引口部品１へ途中で漏れることなく、血液等の流体が流れることが可能になる。
【００２６】
次に、第１手順後の第２手順について説明する。
【００２７】
図４は第２手順を行った後の実施形態の使い捨てピペットの正面断面図である。フィルター圧縮ピン９の一端９ｆに差し込まれているプッシュ部品１０を押し込むと、フィルター圧縮ピン９は、キャップ用接合部６ｂの内部のガイド面６ｃに沿って案内されて、中心軸方向へ移動する。すると、フィルター圧縮ピン９の他端９ａが一時吸液体５に当接し一時吸液体５を圧縮する。フィルター圧縮ピン９の他端９ａの開口は空気通過性フィルター７によって塞がれているので、一時吸液体５に吸液されている血液等はフィルター圧縮ピン９の内管の中へ侵入することなく、すべての血液等は第１ホルダー２の接続細管部２ｊ、吸引口部品１の内管１ｄを順に通過して吸引口部品１の先端１ａから流れ出す。すなわち、一時吸液体５に吸液されている血液等はすべてしぼり出されて吸引口部品１の先端１ａから不図示の検査容器に所定量（例えば５０μｌや６０μｌ）の血液等が移し取られる。
【００２８】
これらの手順（血液等の採取、第１手順、及び第２手順）の間において、血液等に気泡が混入することはない。また、これらの手順は、両手を使って、簡単に、安定して行うことができるので、初心者や高齢者であっても無理なく行うことができる。
【００２９】
血液等の移し取りが終わった使い捨てピペットのキャップ８には血液等がまったく付着しないので、一般廃棄物として処分することができる。フィルター圧縮ピン９の他端９ａに取り付けた空気通過性フィルター７には血液等が付着するが、フィルター圧縮ピン９を押し込むと、連通孔９ｂはガイド面６ｃによって塞がった状態となり、そしてキャップ８を押圧すると、空気がフィルター圧縮ピン９の連通孔９ｄ、９ｅから内管を通って他端９ａの空気通過性フィルター７から噴出される。そのため、空気通過性フィルター７に付着していた血液等は吹き飛ばされ、除去される。血液等が凝固、付着してしまうと、空気の噴射による血液等の除去が困難となる。よって、予め空気通過性フィルターにもヘパリンなど抗凝血剤を浸み込ませておくことが好ましい。血液等を除去した空気通過性フィルター７は細菌やウィルスなどが付着しているおそれがあるので、医療廃棄物として処分されなければならないが、フィルター圧縮ピン９には血液等が付着していない。
【００３０】
第２実施形態
図５，６，７は本発明に係る第２実施形態の微量採血器の概略図であり、図５は採血前及び採血中の状態を示す断面図であり、図６は微量採血器を採血ボトルに差し込んだ状態を示す断面図であり、図７は図６の後にキャップを押し込んで多孔質フィルターを押して分離している状態を示す断面図である。
【００３１】
第２実施形態の微量採血器の本体２１の先端部２１ａは内面が円柱状であり外面が端に向かって径が小さくなるテーパー状である。そして、多孔質フィルター３１が端からわずかに突出して配置されている。中央部にはロックキー２４，２５が左右対称に配置されている。後端部２１ｃはやや径の大きな円筒形であり、その内部には円筒部と半球殻部とが連続した押圧ボタン部２３が挿入されている。そして、押圧ボタン部２３には押圧軸部２２が連結されて、押圧軸部２２は本体２１の内部に配置されている。押圧軸部２２の先端が押圧部２２ａであり、中央部２１ｄにはキー溝部２２ｂ、２２ｃが左右対称に形成されており、後端部２２ｄにおいて押圧ボタン部２３と連結されている。ロックキー２４，２５は、それぞれ、係合部２４ａ、２５ａと、支点部２４ｂ、２５ｂと、力点部２４ｃ、２５ｃとからなる樹脂あるいは硬質ゴムなど多少の可撓性を有する材料で作られている。本体２１の先端部２１ａ近くの内部には、多孔質フィルター３１の位置を決めるための小突起２１ｂが中心軸のまわりに９０°間隔で４か所設けてある。（図５（ｃ）参照）。図５（ｂ）は図５（ａ）におけるＡ−Ａ´断面図であるが、ロックキー２４、２５の支点部２４ｂ、２５ｂの端部は押圧軸部２２の側面に当接して押圧軸部２２がその中心軸に移動できるように案内している。ロックキー２４、２５の係合部は通常時には押圧軸部２２の溝部２２ｂ、２２ｃに係合しており、その場合には押圧軸部２２が移動することはできない。
【００３２】
そして、押圧軸部２２の押圧部２２ａは多孔質フィルター３１には触れていない。多孔質フィルター３１は商品名「ファイバーロッド」などの市販品の多孔質円柱体を用いることができ、毛細管現象を利用して所定量、例えば１μｌ、５μｌ、７μｌ、１０μｌの血液を吸液するように長さを調整する。また、血液の凝固を防止するために、ヘパリンなど抗凝血剤を多孔質フィルター３１に予め含浸させておくのが好ましい。
【００３３】
図５に示す状態の微量採血器を用いて所定量の血液を吸液するのは極めて簡単である。皮膚に針等を刺して血を出し、その血に第２実施形態の採血器の多孔質フィルター３１の先端を接触させて血液を吸液する。もはや多孔質フィルター３１に吸液されないまで接触させ続ける。すると、多孔質フィルター３１には所定量の血液を空気の混入なしに採取することができる。多孔質フィルター３１の中にあった空気は、多孔質フィルター３１の先端から毛細管現象によって血液が吸液されるにしたがって、他端へ向かって追いやられて他端から徐々に放出される。その結果、多孔質フィルター３１には所定量１０μｌの血液が空気の混入なしに採取されるのである。
【００３４】
次に、図６に示すように、第２実施形態の微量採血器を採血ボトル３２の中に差し込む。すると、ボトル３２の内側面がロックキー２４、２５の力点部２４ｃ、２５ｃに接触し、差し込むにつれて力点部２４ｃ、２５ｃが押され中心軸方向へ移動する。すると、支点部２４ｂ、２５ｂをはさんで逆の位置の係合部２４ａ、２５ａが中心軸から遠ざかるように移動する。すると、ロックキー２４、２５の係合部２４ａ、２５ａと押圧軸部２２のキー溝部２２ｂ、２２ｃとの係合が解除される。その結果として、押圧軸部２２は自由にその中心軸に沿って直線移動することができる。回転移動を防止するために本体２１の内面に中心軸に平行に伸びる直線状のガイド溝を設けるのが好ましい。
【００３５】
なお、採血ボトル３２には底部３２ｂがある。内部には薬液がたまっており、血液を保存したり、血漿と血球とを分離したりする。
【００３６】
続いて、図７に示すように、押圧ボタン部２３を指などで押し込む。すると、押圧軸部２２の押圧部２２ａが多孔質フィルター３１に接触し押して、多孔質フィルター３１を押し出して本体２１の先端部２１ａから多孔質フィルター３１を分離されて採血ボトル３２の中へ落下する。
【００３７】
採血ボトル３２の脚部３２ｃは安定して直立できる形状・構造であるのが好ましい。
【００３８】
採血器の本体２１の先端部２１ａは、多孔質フィルター３１の有無を目視確認し、多孔質フィルター３１への血液の吸液状態を目視確認しやすいように透明であるのが好ましい。
【図面の簡単な説明】
【００３９】
【図１】本発明に係る実施形態の使い捨てピペットの正面断面図である。
【図２】従来の使い捨てピペットの概略図である。
【図３】第１手順を行った後の第１実施形態の使い捨てピペットの正面断面図である。
【図４】第２手順を行った後の第１実施形態の使い捨てピペットの正面断面図である。
【図５】採血前及び採血中の状態を示す第２実施形態の使い捨て微量採血器の断面図である。
【図６】採血器を採血ボトルに差し込んだ状態を示す第２実施形態の使い捨て微量採血器の断面図である。
【図７】図６の後にキャップを押し込んで多孔質フィルターを押して分離している状態を示す断面図である。
【符号の説明】
【００４０】
１      吸引口部品
１ａ    先端
１ｂ    ノズル部
１ｃ    中央部
１ｄ    内管
２      第１ホルダー
２ａ    吸引口部品用取付け・案内部
２ｂ    第１位置用凹部
２ｃ    第２位置用凹部
２ｄ    逆支弁取付け部
２ｅ    一時吸液体取付け部
２ｆ    接合部分
２ｇ    円周凹部
２ｈ    当接面
２ｉ    つまみ部
２ｊ    接続細管部
３      逆支弁
４      逆支弁ホルダー
５      一時吸液体
６      第２ホルダー
６ａ    係合突起
６ｂ    接合部
６ｃ    ガイド面
７      空気通過性フィルター
８      キャップ
８ａ    取付け部
８ｂ    押圧部
８ｃ    底部
９      フィルター圧縮ピン
９ａ    他端
９ｂ    連通孔
９ｄ    連通孔
９ｅ    連通孔
９ｆ    一端
１０    プッシュ部品
１１    ピペット
１１ａ  スポイト筒
１１ｂ  キャップ
１１ｃ  目印
１１ｄ  目印
２１    本体
２１ａ  先端部
２１ｂ  小突起
２１ｃ  後端部
２１ｄ  中央部
２２    押圧軸部
２２ａ  押圧部
２２ｂ  溝部
２２ｃ  溝部
２２ｄ  後端部
２３    押圧ボタン部
２４    ロックキー
２４ａ  係合部
２４ｂ  支点部
２４ｃ  力点部
２５    ロックキー
２５ａ  係合部
２５ｂ  支点部
２５ｃ  力点部
３１    多孔質フィルター（吸液体）
３２    採血ボトル
３２ｂ  底部
３２ｃ  脚部
【図１】
2005017281.tif 000003
【図２】
2005017281.tif 000004
【図３】
2005017281.tif 000005
【図４】
2005017281.tif 000006
【図５】
2005017281.tif 000007
【図６】
2005017281.tif 000008
【図７】
2005017281.tif 000009